(57)【要約】      （修正有）【課題】釣りリールに備えられたスプールの回転によるドラッグ力を調節する釣りリールのドラッグリリースシステムを提供する。【解決手段】釣り中にスプールに強い張力がかかったときにスプールのドラッグ力を迅速に弱く調節して対応することにより釣糸の破損を防止することができるように、円柱状の駆動軸２１に軸直角方向に差込孔２１ａを備え、前記駆動軸２１に外挿されるスリーブ２６に、前記差込孔２１ａに対応して駆動軸２１の軸方向に所定の長さを有するスリット溝２６ａを設けることにより、差込孔２１ａとスリット溝２６ａに結合される固定ピン２７を用いて、スリーブ２６が駆動軸２１で空転することを防止しながら、ドラッグ力の調節の際に、前記固定ピン２７がスリーブ２６の位置移動を案内してドラッグ力の調節を即刻的に行うことができる、釣りリールのドラッグリリースシステム。【選択図】図１
2018075006.tif 000002
【特許請求の範囲】
【請求項１】
釣りリールに備えられたスプールの回転によるドラッグ力を調節する釣りリールのドラッグリリースシステムにおいて、
スプールを回転させる駆動軸と、前記駆動軸の外側端部に結合された把持部と、前記駆動軸の内側端部に備えられた複数のワッシャーからなるドラッグ力調節部とから構成されたハンドル；
前記駆動軸の軸方向に位置を移動することができるように備えられた調節体；および
前記ドラッグ力調節部と前記調節体との間で前記駆動軸に外挿されて備えられ、前記調節体の位置の移動に連動して、前記ドラッグ力調節部を駆動軸の軸方向に締めたり緩めたりしてスプールの回転によるドラッグ力を調節するスリーブ；を含んでなり、
前記駆動軸は、円形の外周面を有する円柱形状をし、軸直角方向に貫通形成された差込孔を備え、
前記スリーブは、内側端部に、前記差込孔に対応して前記駆動軸の軸方向に所定の長さを有するように軸直角方向に開口して形成されたスリット溝を備え、
前記スリット溝を貫通して前記差込孔に差し込まれる固定ピンによって、前記スリーブが前記駆動軸に結合されて連動することを特徴とする、釣りリールのドラッグリリースシステム。
【請求項２】
前記スリーブは、前記スリット溝の一側または両側外周面の一部が非円形に形成されたサイドカット部を備え、
前記ドラッグ力調節部は、前記サイドカット部に固定されるように結合され、前記スリーブと連動するドラッグワッシャーと、前記ドラッグワッシャーの一側または両側に配列され、前記サイドカット部に回転可能に結合されて前記スリーブと連動しないブレーキングワッシャーとを含むことを特徴とする、請求項１に記載の釣りリールのドラッグリリースシステム。
【請求項３】
前記ドラッグ力調節部は、前記ドラッグワッシャーが複数備えられており、
前記サイドカット部は、前記ドラッグ力調節部のドラッグワッシャーの全てに嵌め込まれて結合されるように形成されていることを特徴とする、請求項２に記載の釣りリールのドラッグリリースシステム。
【請求項４】
前記ドラッグ力調節部は、前記ドラッグワッシャーが複数備えられており、
前記サイドカット部は、前記ドラッグ力調節部における最外側に配置された第１ドラッグワッシャーにのみ嵌め込まれて結合されるように形成されており、
前記ドラッグ力調節部における内側に配置された残りの第２ドラッグワッシャーは、前記サイドカット部に結合されて前記スリーブと連動する固定ブッシングが嵌め込まれ、前記サイドカット部に結合されていることを特徴とする、請求項２に記載の釣りリールのドラッグリリースシステム。
【発明の詳細な説明】
【技術分野】
【０００１】
本発明は、釣りリールに備えられたスプールの回転によるドラッグ力を調節する釣りリールのドラッグリリースシステムに係る。より詳しくは、釣り中にスプールに強い張力がかかったときに、スプールのドラッグ（ｄｒａｇ）力をすぐに弱く調節して対応することにより釣糸の破損を防止することができるように、円柱状の駆動軸に軸直角方向に差込孔を備え、前記駆動軸に外挿されるスリーブに、前記差込孔に対応して駆動軸の軸方向に所定の長さを有するスリット溝を設けることによって、差込孔とスリット溝に結合される固定ピンを用いて、スリーブが駆動軸で空転することを防止しながら、ドラッグ力の調節の際に、前記固定ピンがスリーブの位置移動を案内してドラッグ力の調節をすばやく行うことができる、釣りリールのドラッグリリースシステムに関する。
【背景技術】
【０００２】
一般に、釣りをするときは、スプールに巻かれた釣糸の強度に応じてスプールのドラッグ（ｄｒａｇ）力を強く又は弱く調節して使用する。このようにスプールのドラッグ力の調節に使用されるものをドラッグリリースシステムという。
【０００３】
このようなドラッグリリースシステムは、キャスティングの前に使用する釣糸の強度に合わせてスプールのドラッグ力を予め調節して使用するのが普通であるが、
釣り中に、釣糸の強度以上の力を発揮する魚がかかった場合、これに合わせてスプールのドラッグ力を弱く調節しなければ釣糸が切れてしまうなどの問題点が生じる。
すなわち、釣り中に釣糸にかかった魚が釣糸の強度以上の力で引っ張ると、これに対応して釣糸が適切な速度および圧力で繰り出されるようにスプールが一緒に回転しなければならないが、スプールのドラッグ力が強い場合にはスプールが回転しないため釣糸が破損してしまうという問題点がある。
この場合、ユーザーがドラッグリリースシステムを用いてスプールのドラッグ力を弱く調節することができるが、
釣り中には、魚により釣糸の巻かれているスプールにまで張力がかかるので、従来のドラッグリリースシステムの構造上、ドラッグリリースシステムが瞬間的に反応することができないためドラッグ力が弱まらずに釣糸が容易に破損してしまった。
【０００４】
より具体的には、韓国特許第１０−１６０７５６３号、同特許第１０−１１９３９１０号などには、ドラッグワッシャーとブレーキワッシャーとの密着圧力を調節体によって調節してスプールのドラッグ力を調節する技術が開示さされているが、
これらの従来技術の場合、釣り中に調節体を解いたとき、調節体によってスリーブがハンドルの方向に位置移動しながらワッシャーへの加圧力が弱くなり、スプールのドラッグ力が弱まらなければならないけれども、
ハンドルの駆動軸、ドラッグワッシャーおよびスリーブの相互間の空転防止のためのＤカット結合構造により、スプールにかかった張力がスリーブとドラッグワッシャーの回転方向にかかってスリーブがハンドルの方向に位置移動しないため、スプールのドラッグ力が弱く調節されないという問題点がある。
したがって、ユーザーが直接ドラッグリリースシステムを操作して、状況に合わせて能動的に対処しても、ドラッグリリースシステムが容易に作動しないため、結局は釣糸の破損につながる場合が多い。
【先行技術文献】
【特許文献】
【０００５】
【特許文献１】大韓民国特許第１０−１６０７５６３号公報
【特許文献２】大韓民国特許第１０−１１９３９１０号公報
【発明の概要】
【発明が解決しようとする課題】
【０００６】
そこで、本発明は、かかる問題点を解決するためになされたもので、ハンドルの駆動軸とスリーブが一緒に連動して回転可能であり、釣り中に調節体を操作したときにスリーブの位置移動が瞬間的に反応して、ユーザーが状況に合わせてスプールのドラッグ力を調節することにより、過度なドラッグ力による釣糸の破損を防止することができるように、円柱状の駆動軸に軸直角方向に差込孔を設け、スリーブに前記差込孔に対応するスリット溝を駆動軸の軸方向に所定の長さを有するように設けることによって、前記差込孔とスリット溝を貫通して差し込まれる固定ピンでスリーブが駆動軸に結合され、駆動軸とスリーブの空転防止およびスリーブの位置移動が案内されてドラッグ力の調節が可能である、釣りリールのドラッグリリースシステムを提供することを目的とする。
【０００７】
また、本発明は、スプールのドラッグ力、すなわちスプールの回転制動力の調節を容易にするために駆動軸と連動するように結合されたドラッグワッシャーと、駆動軸と連動しないように結合されたブレーキングワッシャーとを含み、
ドラッグ力調節部を構成するワッシャーの数に応じてスリーブとドラッグワッシャーとの結合構造が変わるように、駆動軸のサイドカット部にドラッグワッシャーが全て嵌められて結合されるか、又は、駆動軸のサイドカット部に最外側の第１ドラッグワッシャーのみが嵌められて結合され、残りのドラッグワッシャーはサイドカット部に結合される固定ブッシングによって結合されている、釣りリールのドラッグリリースシステムを提供することを目的とする。
【課題を解決するための手段】
【０００８】
上記の目的を達成するために、本発明に係る釣りリールのドラッグリリースシステムは、
釣りリールに備えられたスプールの回転によるドラッグ力を調節する釣りリールのドラッグリリースシステムにおいて、
スプールを回転させる駆動軸と、前記駆動軸の外側端部に結合された把持部と、前記駆動軸の内側端部に備えられた複数のワッシャーからなるドラッグ力調節部とから構成されるハンドル；
前記駆動軸の軸方向に位置移動することができるように備えられた調節体；および
前記ドラッグ力調節部と前記調節体との間で前記駆動軸に外挿されて備えられ、前記調節体の位置移動に連動して、前記ドラッグ力調節部を駆動軸の軸方向に締めたり緩めたりしてスプールの回転によるドラッグ力を調節するスリーブ；を含んでなり、
前記駆動軸は、円形の外周面を有する円柱形状をし、軸直角方向に貫通形成された差込孔を備え、
前記スリーブは、内側端部に、前記差込孔に対応して前記駆動軸の軸方向に所定の長さを有するように軸直角方向に開口して形成されたスリット溝を備え、
前記スリット溝を貫通して前記差込孔に差し込まれる固定ピンによって、前記スリーブが前記駆動軸に結合されて連動することを特徴とする。
【０００９】
本発明に係る釣りリールのドラッグリリースシステムにおいて、
前記スリーブは、前記スリット溝の一側または両側外周面の一部が非円形に形成されたサイドカット部を備え、
前記ドラッグ力調節部は、前記サイドカット部に固定されるように結合され、前記スリーブと連動するドラッグワッシャーと、前記ドラッグワッシャーの一側または両側に配列され、前記サイドカット部に回転可能に結合されて前記スリーブと連動しないブレーキングワッシャーとを含むことを特徴とする。
【００１０】
また、本発明に係る釣りリールのドラッグリリースシステムにおいて、
前記ドラッグ力調節部は、前記ドラッグワッシャーが複数備えられており、
前記サイドカット部は、前記ドラッグ力調節部のドラッグワッシャーの全てに嵌め込まれて結合されていることを特徴とする。
【００１１】
また、本発明に係る釣りリールのドラッグリリースシステムにおいて、
前記ドラッグ力調節部は、前記ドラッグワッシャーが複数備えられており、
前記サイドカット部は、前記ドラッグ力調節部における最外側に配置された第１ドラッグワッシャーにのみ嵌め込まれて結合されるように形成されており、
前記ドラッグ力調節部における内側に配置された残りの第２ドラッグワッシャーは、前記サイドカット部に結合されて前記スリーブと連動する固定ブッシングが嵌め込まれて、前記サイドカット部に結合されていることを特徴とする。
【発明の効果】
【００１２】
本発明に係る釣りリールのドラッグリリースシステムは、従来のように駆動軸、スリーブ、ドラッグワッシャーの相互間の空転防止による連動が可能でありながらも、円形の外周面を有する駆動軸を使用することにより駆動軸全体に対するＤカット加工が不要なので  製造コストを削減することができ、これによる駆動軸の同心度を向上させることができる。
特に、円形の駆動軸、固定ピンおよびスリット溝へのスライド結合構造によるスリーブの位置移動が容易なので、釣り中にスプールに張力がかかった状態でも調節体を用いてドラッグ力の調節が可能であるだけでなく、ユーザーの操作に瞬間的に反応してドラッグ力の調節が迅速に行われるので、過度なドラッグ力による釣糸の破損を防止することができるという効果がある。
【図面の簡単な説明】
【００１３】
【図１】本発明の第１実施例を部分的に示す断面図である。
【図２】本発明の第１実施例の主要部品を別々に抜粋して示す分解斜視図である。
【図３】本発明の第２実施例を部分的に示す断面図である。
【図４】本発明の第２実施例の主要部品を別々に抜粋して示す分解斜視図である。
【発明を実施するための形態】
【００１４】
本発明は多様な変更を加えることができ、様々な形態を有することができるもので、その具現例（態様、ａｓｐｅｃｔ）（または実施例）をここに詳細に説明する。しかし、これは本発明を特定の開示形態に限定しようとするものではなく、本発明の思想及び技術範囲に含まれるすべての変更、均等物ないし代替物を含むものと理解されなければならない。
各図面において、同一の参照符号、特に十の桁及び一の桁、または十の桁、一の桁及びアルファベットが同じである参照符号は同一または類似の機能を有する部材を示し、特に明記がない場合、図面の各参照符号が示す部材はこのような基準に準ずる部材として把握すればよい。
また、各図面において、構成要素は、理解の便宜などのために、大きさや厚さを誇張して大きく（または厚く）或いは小さく（または薄く）表現しているか単純化して表現しているが、これによって本発明の保護範囲が制限されて解釈されてはならない。
【００１５】
本明細書で使用する用語は、特定の具現例（態様、ａｓｐｅｃｔ）（または実施例）を説明するために使用されたもので、本発明を限定しようとするものではない。単数の表現は文脈上特に明記しない限り、複数の表現を含む。
本出願において、「含む」または「からなる」などの用語は、明細書上に記載した特徴、数字、段階、動作、構成要素、部分品またはこれらの組み合わせが存在することを指定しようとするものであり、一つまたはそれ以上の他の特徴、数字、段階、動作、構成要素、部分品またはこれらの組み合わせなどの存在または付加の可能性を予め排除しないものと理解されなければならない。
【００１６】
特に他に定義しない限り、技術用語や科学用語を含み、ここで使われるすべての用語は本発明の属する技術分野における通常の知識を有する者によって一般的に理解されるものと同じ意味を持っている。一般的に使われる辞典に定義されている用語は、関連技術の文脈上で持つ意味と一致する意味を持つものと解釈されなければならず、本明細書で明らかに定義しない限り、理想的な意味または過度に形式的な意味に解釈されない。
本明細書において記載した「第１」、「第２」などは、互いに異なる構成要素を区分するためのものに過ぎず、製造された順序に拘らないものであり、発明の詳細な説明と請求の範囲においてその名称が一致しないこともある。
【００１７】
本発明に係る釣りリールのドラッグリリースシステムを説明するにあたり、便宜上、厳密ではない概略の方向基準を図１および図３を参照して特定すれば、重力が作用する方向を下側にして、見える方向を基準に上下左右を定めるが、上側と外側、下側と内側をそれぞれ混用して説明し、他の図面に基づく発明の詳細な説明および請求の範囲においても、特に記載がない限り、この基準に従って方向を特定して記述する。
以下、本発明に係る釣りリールのドラッグリリースシステムを添付図面に基づいて説明する。
【００１８】
本発明の各実施例の一部を断面として示す図１、図３（理解の便宜のために、駆動軸２１とスリーブ２６は、断面ではなく、外観が投影された平面図の形で示した。）、そして本発明の主要部品のみを抜粋して示す分解斜視図である図２、図４に示すように、
本発明は、釣りリールに備えられたスプール１１の回転によるドラッグ力を調節する釣りリールのドラッグリリースシステムに関するもので、大きくフレーム１０、ハンドル２０、およびドラッグ機構Ｄを含む。
【００１９】
前記フレーム１０の第１装着部１０ａには、釣糸が巻かれるスプール１１が装着され、第２装着部１０ｂには、ドラッグ機構Ｄが備えられたハンドル２０が装着される。
前記スプール１１は、スプールシャフト１１Ａを介してフレーム１０に装着され、ハンドル２０側に備えられたテンションナット１３によってキャスティング距離が調節される。このようなスプール１１は、従動ギア１１ａを備え、ハンドル２０の駆動軸２１に装着されたドライブギア２３と連結され、ハンドル２０の操作に応じて釣糸が巻かれるように連動して回転する。
【００２０】
前記ハンドル２０は、前記スプール１１を回転させて釣糸を巻くためのもので、スプール１１を回転させる駆動軸２１と、駆動軸２１の外側端部に結合された把持部２２と、前記駆動軸２１の内側端部に備えられた複数のワッシャー２４Ａ〜２４Ｄからなるドラッグ力調節部２４とから構成される。
前記駆動軸２１は、内側端部に備えられたドライブギア２３がスプール１１の従動ギア１１ａに噛合されてスプール１１を回転させる。
ドライブギア２３の外側の駆動軸２１の内側端部に備えられたドラッグ力調節部２４、ハンドル２０の内側の駆動軸２１の外側端部に備えられた調節体２５、前記ドラッグ力調節部２４と前記調節体２５との間に備えられたスリーブ２６によってドラッグ機構Ｄを構成する。
【００２１】
前記ハンドル２０は、駆動軸２１の外側端部に結合されたハンドルバー２２ａの両側に備えられたいずれか一つの把持部２２によって作動する。
これらのハンドル２０は、左ハンドルまたは右ハンドルであって、左右の構造が異なることもあり（図には右ハンドル構造のみが示されている。）、ハンドル２０によるスプール１１の回転により、釣糸を巻くための動作を行う。
前記調節体２５は、前記駆動軸２１の軸方向に位置移動（進退）し得るように、駆動軸２１の外側端部に備えられる。
【００２２】
調節体２５の位置移動に応じて、スリーブ２６を弾性支持する弾性手段の弾性力が調節され、スリーブ２６が駆動軸２１の軸方向に調節体２５と連動して位置移動（進退）する。このような調節体２５は、位置移動による加圧力を弾力的にドラッグ力調節部２４へ伝達する弾性手段が結合される。
【００２３】
フレーム１０のカバー中空部位壁体の干渉を避けてスプリングワッシャーの力が伝達されるようにするドラム型の媒体が先ず結合され、
次に、弾性手段を構成する複合スプリングワッシャーに該当する高弾性スプリングワッシャー２５ａが２つセットとして備えられ、連続的に低弾性スプリングワッシャー２５ｂが２つセットとして備えられることにより、
調節体２５の進退による弾性手段の弾性力が内側のスリーブ２６へ伝達される。
前記調節体２５は、通常、駆動軸２１に螺合されて回転に応じて駆動軸２１の軸方向に進退するが、フレーム１０などの他の部品に形成された雄ねじ部（または雌ねじ部）が結合されて回転に応じて進退する形態も可能である。
【００２４】
前記スリーブ２６は、前記調節体２５の進退と連動して、前記ドラッグ力調節部２４を駆動軸２１の軸方向に締めたり緩めたりしてスプール１１の回転によるドラッグ力を調節する。
このようなスリーブ２６は、後述するスリット溝２６ａの一側または両側外周面の一部が非円形に形成されたサイドカット部２６ｂを備え、ドラッグ力調節部２４のドラッグワッシャー２４Ａ、２４Ｂが駆動軸２１で空転せずに駆動軸２１と連動して一緒に回転するように備えられる。
【００２５】
前記ドラッグ力調節部２４は、前記駆動軸２１に連動して一緒に回転するドラッグワッシャー２４Ａ、２４Ｂと、前記駆動軸２１に連動せずに空転するブレーキングワッシャー２４Ｃとから構成され、
スリーブ２６がドラッグワッシャー２４Ａ、２４Ｂを加圧する圧力の加減に応じてドラッグワッシャー２４Ａ、２４Ｂとブレーキングワッシャー２４Ｃとの密着程度が変化して、摩擦による制動力、すなわちスプール１１のドラッグ力が決定される。
前記ブレーキングワッシャー２４Ｃは、前記ドラッグワッシャー２４Ａ、２４Ｂの一側または両側に配列され、この時、使用されるドラッグワッシャー２４Ａ、２４Ｂの数に応じてブレーキワッシャー２４Ｃの数も変わることができる。
【００２６】
このようなドラッグワッシャー２４Ａ、２４Ｂおよびブレーキングワッシャー２４Ｃの数には制限がない。但し、より安定的で即刻的なスプール１１のドラッグ力を確保するためにドラッグワッシャー２４Ａ、２４Ｂとブレーキングワッシャー２４Ｃが２つ以上（複数個）備えられて交差配列されることが好ましい。図１ないし図４では、ドラッグ力調節部２４として、代表的に合計６つのワッシャーが配列される構造が示されている。
【００２７】
これをより具体的に説明すると、前記ドラッグ力調節部２４は、内側方向から順次、ブレーキングワッシャー２４Ｃ、ドラッグワッシャー２４Ｂ、ブレーキングワッシャー２４Ｃ、連動ワッシャー２４Ｄ、ブレーキングワッシャー２４Ｃ、ドラッグワッシャー２４Ａが配列されて構成される。
より詳細には、前記ドラッグワッシャー２４Ａ、２４Ｂは、前記サイドカット部２６ｂの形状に対応する非円形中空２４ａを備えて、前記サイドカット部２６ｂに固定されるように結合されて前記スリーブ２６と連動して一緒に回転し、
前記ブレーキングワッシャー２４Ｃは、前記スリーブ２６の外径よりも大きく形成された円形中空２４ｂを備え、前記サイドカット部２６ｂに回転可能に結合されて前記スリーブ２６と連動せずにブレーキングワッシャー２４Ｃのみが空転し、
前記連動ワッシャー２４Ｄは、ブレーキングワッシャー２４Ｃと同様に円形中空２４ｃを備えてサイドカット部２６ｂで空転するように結合される。
【００２８】
特に、中央ブレーキングワッシャー２４Ｃ同士の間に配列された連動ワッシャー２４Ｄは、外側端にドライブギア２３の内側壁部に設けられた係止溝２３ａに係合される連動突起２４ｄを備えて、ドライブギア２３と一緒に連動して回転するように備えられる。
この時、ドラッグ力調節部２４における最外側に配列される第１ドラッグワッシャー２４Ａは、非円形中空２４ａが外側に突出するように折り曲げられて形成され、このように形成された内側空間部へ後述の固定ブッシング２８の係止部２８ａが収容されるようにする。
このように駆動軸２１の軸方向に配列された各ワッシャー２４Ａ〜２４Ｄは、スリーブ２６を介して弾性手段の弾性力が加えられながら互いに密着する。
【００２９】
よって、釣り中に魚が釣り針を銜えて釣糸がスプール１１から繰り出される場合、スプール１１に加わる回転圧力が従動ギア１１ａを経てドライブギア２３に伝達されると、スリーブ２６によって加圧されるドラッグワッシャー２４Ａ、２４Ｂと連動ワッシャー２４Ｄが駆動軸２１と一緒に回転する一方で、ブレーキワッシャー２４Ｃは、駆動軸２１と一緒に回転せず、各ワッシャー２４Ａ〜２４Ｄ同士の摩擦力によるスプール１１の制動機能、すなわちスプール１１のドラッグ力が発生する。
これにより、釣りの前に、前記調節体２５を介してスリーブ２６を進退させてドラッグ力調節部２４に対する加圧力を調節すると、各ワッシャー２４Ａ〜２４Ｄの密着程度が変わりスプール１１のドラッグ力が加減されて調節される。
【００３０】
このとき、上述したように、スプール１１に張力が加わった状態で、スプール１１のドラッグ力を減少させる必要がある場合、調節体２５を解くと、スリーブ２６が外側に上昇してドラッグ力調節部２４に対する加圧が減少してスプール１１のドラッグ力が減少するが、
スリーブ２６と駆動軸２１との連動回転のために、従来の駆動軸は、Ｄカットタイプの非円形加工部、すなわち空転防止部が軸方向に全体的に形成され、これに対応して、従来のスリーブは、前記空転防止部に相応するＤ形状に形成されており、回転方向に加わる釣糸の張力により駆動軸とスリーブが食い違いながらスリーブの上昇がなされないため、結果として、調節体の操作にもかかわらず実質的なドラッグ力の減少がなされなくなり、ドラッグ力の調節失敗による釣糸の破損が発生する。
従って、本発明は、上述したような問題点を解決するために、駆動軸２１とスリーブ２６の全体形状および連動構造を異にした。
【００３１】
まず、本発明の駆動軸２１は、従来の駆動軸２１のようにＤカットタイプの空転防止部を有せず、円形の外周面を有する円柱状をする。
また、駆動軸２１の中段部位に外挿されるスリーブ２６が駆動軸２１と連動するように、前記駆動軸２１は、軸直角方向に貫通して形成された差込孔２１ａを備え、
前記スリーブ２６は、内側端部に、前記差込孔２１ａに対応して前記駆動軸２１の軸方向に所定の長さを有するように軸直角方向に開口して形成されたスリット溝２６ａを備えて、前記スリット溝２６ａを貫通して前記差込孔２１ａに差し込まれる固定ピン２７によって、前記スリーブ２６が前記駆動軸２１に結合されて連動する。
【００３２】
すなわち、固定ピン２７の係止構造により、スリーブ２６と駆動軸２１とが互いに空転せずに一緒に連動して回転し、
調節体２５の操作に応じて、スリーブ２６が固定ピン２７に乗って駆動軸２１の軸方向へ位置移動することが案内され、ドラッグ力調節部２４に加わる圧力の変化によるドラッグ力の加減が調節される。
したがって、本発明は、スプール１１に釣糸の張力がかかった状態で調節体２５を解いても、駆動軸２１とスリーブ２６との円形構造による食い違い防止、および固定ピン２７とスリット溝２６ａとのスライド結合構造によって、スリーブ２６が直ちに反応して上昇移動しながらドラッグ力調節部２４に加わる圧力を減少させ、結局、スプール１１の回転によるドラッグ力が直ちに減少しながら、釣糸が適切な速度と圧力で繰り出されながら釣糸の破損が防止される。
【００３３】
このような駆動軸２１とスリーブ２６からなるドラッグリリースシステムは、複数のドラッグワッシャー２４Ａ、２４Ｂが、スリーブ２６のサイドカット部２６ｂによってのみ結合されるか、又はスリーブ２６のサイドカット部２６ｂと一緒に別途の固定ブッシング２８によって結合されるかに応じて、具体的な実施例が変わる。
【００３４】
まず、本発明の第１実施例として、図１及び図２に示すように、
前記サイドカット部２６ｂは、前記ドラッグ力調節部２４のドラッグワッシャー２４Ａ、２４Ｂの全てに嵌め込まれて結合されるように形成される。
すなわち、ドラッグ力調節部２４のワッシャー配列による全厚に合わせて、前記サイドカット部２６ｂが相対的に長く形成され、サイドカット部２６ｂがドラッグ力調節部２４のワッシャーをすべて貫通して嵌め込まれ、すべてのドラッグワッシャー２４Ａ、２４Ｂがサイドカット部２６ｂに一体に係合されることによりスリーブ２６と一緒に連動する。
このような第１実施例は、ドラッグワッシャー２４Ａ、２４Ｂの数が相対的に少なく配列されるときに使用され、部品の減少による製造利便性の確保および製造コストの削減、並びに内部構造の簡素化を図ることができる。
【００３５】
次に、本発明の第２実施例として、図３及び図４に示すように、
前記サイドカット部２６ｂは、前記ドラッグ力調節部２４における最外側に配列された第１ドラッグワッシャー２４Ａにのみ嵌め込まれて結合されるように形成され、
前記ドラッグ力調節部２４における内側に配列された残りの第２ドラッグワッシャー２４Ｂは、前記サイドカット部２６ｂに結合されて前記スリーブ２６と連動する固定ブッシング２８が嵌め込まれ、前記サイドカット部２６ｂに結合される。
【００３６】
すなわち、ドラッグ力調節部２４のワッシャー配列による全厚を問わず、前記サイドカット部２６ｂが相対的に短く形成され、サイドカット部２６ｂが第１ドラッグワッシャー２４Ａのみを貫通して嵌め込まれ、第１ドラッグワッシャー２４Ａがサイドカット部２６ｂに一体に係合されることによりスリーブ２６と連動し、
固定ブッシング２８が残りのワッシャーを貫通して前記サイドカット部２６ｂに結合され、残りの第２ドラッグワッシャー２４Ｂが固定ブッシング２８に一体に係合されることによりスリーブ２６と連動する。
【００３７】
このような固定ブッシング２８は、前記サイドカット部２６ｂの形状に対応する係止部２８ａを備えて、係止部２８ａがサイドカット部２６ｂと食い違う形態で結合され、サイドカット部２６ｂに結合された固定ブッシング２８がスリーブ２６と一緒に連動して回転し、
固定ブッシング２８の外周面には、前記非円形中空２４ａに相応する形状の係止部２８ａが備えられ、このような固定ブッシング２８に係合された残りの第２ドラッグワッシャー２４Ｂが固定ブッシング２８、すなわちスリーブ２６と一緒に連動して回転する。
【００３８】
このような第２実施例は、前記第１実施例よりも、サイドカット部２６ｂの長さが相対的に短く形成されるので、ドラッグワッシャー２４Ａ、２４Ｂの数が相対的に多く配列されるときに使用され、サイドカット部２６ｂが長くなることによる強度弱化に起因する破損の発生を防止する。
【００３９】
本発明は、上述したような構成のドラッグリリースシステムを導入することにより、釣糸の張力がスプール１１にかかった状態でも、調節体２５を利用した迅速なドラッグ力の調節（減少）が可能であり、駆動軸２１とスリーブ２６の円形構造により同心度を確保することにより回転バランスを向上させることができ、駆動軸２１のＤカット加工およびスリーブ２６のＤ形状加工が不要なので部品の強度の補強および加工費用の削減等の効果を得ることができる。
【００４０】
以上で本発明を説明するにあたり、添付図面を参照して特定の形状と構造を持つ釣りリールのドラッグリリースシステムを中心に説明したが、本発明は当業者によって様々な修正、変更および置換が可能であり、それらの修正、変更および置換は本発明の保護範囲に属するものと解釈されるべきである。
【符号の説明】
【００４１】
Ｌ        レベルワインダー
Ｄ        ドラッグ機構
１０      フレーム
１１      スプール
１１Ａ    スプールシャフト
１１ａ    従動ギア
１２      カバー
１３      テンションナット
２０      ハンドル
２１      駆動軸
２１ａ    差込孔
２２      把持部
２２ａ    ハンドルバー
２３      ドライブギア
２３ａ    係止溝
２４      ドラッグ力調節部
２４Ａ、２４Ｂ    ドラッグワッシャー
２４ａ    非円形中空
２４Ｃ    ブレーキングワッシャー
２４ｂ、２４ｃ    円形中空
２４Ｄ    連動ワッシャー
２４ｄ    連動突起
２５      調節体
２５ａ、２５ｂ    スプリングワッシャー
２６      スリーブ
２６ａ    スリット溝
２６ｂ    サイドカット部
２７      固定ピン
２８      固定ブッシング
２８ａ    係止部
２８ｂ    空転防止部
【図１】
2018075006.tif 000003
【図２】
2018075006.tif 000004
【図３】
2018075006.tif 000005
【図４】
2018075006.tif 000006